(57)【要約】【課題】母体を冷やさず、脱着が容易であり、且つ着用者のファッション性の幅を狭めることの無いマタニティウェアを提供する。【解決手段】開放したウエスト部１１に対して夫々係止することが可能な第一ボタン６等を有している横設係止部材２と、着用者のウエストに巻回される巻回部８及び横設係止部材２を被覆可能な被覆部材１３を有する前側被覆部材３と、前側被覆部材３の内側に縦設して配設される帯状の部材であって、ウエスト部１１の少なくともいずれか一方に係止することが可能な第二ボタン穴が備えられている縦設係止部材４とを有している。また、横設係止部材２及び縦設係止部材４よりも内側の着用者側に配設され、伸縮性の素材で形成されている内側被覆部材５をさらに具備しても良い。【選択図】図１
2008150758.tif 000002
【特許請求の範囲】
【請求項１】
着用者のウエストに位置するウエスト部の前側が開放される下半身用衣服の、前記ウエスト部を開放した両端部に横設して架け渡される帯状の部材で、前記開放した両端部に対して夫々係止することが可能な第一係止部を有している横設係止部材と、
着用者のウエストに巻回される巻回部と、前記横設係止部材の外側に配設され、該巻回部から一体的に形成されており、少なくとも前記開放した両端部及び前記横設係止部材を被覆可能な被覆部材と、を有する前側被覆部材と、
前記前側被覆部材の内側に縦設して配設される帯状の部材で、その一部が前記巻回部に取り付けられ、前記開放した両端部の少なくともいずれか一方に係止することが可能な第二係止部が備えられている縦設係止部材と
を具備していることを特徴とするマタニティウェア。
【請求項２】
前記着用者の少なくとも腹部を被覆可能な面積を有する部材で、前記横設係止部材及び前記縦設係止部材よりも内側の前記着用者側に配設され、伸縮性の素材で形成されている内側被覆部材
をさらに具備していることを特徴とする請求項１に記載のマタニティウェア。
【請求項３】
前記内側被覆部材は、前記前側被覆部材に対して着脱自在に取り付けられている
ことを特徴とする請求項２に記載のマタニティウェア。
【請求項４】
前記第一係止部または前記第二係止部の少なくともいずれか一方は、前記下半身用衣服の前記開放した両端部に備えられたボタンまたはボタン穴に対して係止可能に構成されている
ことを特徴とする請求項１乃至請求項３のいずれか一つに記載のマタニティウェア。
【発明の詳細な説明】
【技術分野】
【０００１】
本発明は、下半身用の衣服に関するものであり、特に、妊娠中の女性が着用するのに適したマタニティウェアに関するものである。
【背景技術】
【０００２】
妊娠中の女性が着用する衣服としては、従来より各種のものが提案されている。例えば、ウエスト部分がゆったりとしたワンピースやジャンパースカート、チュニックなどが知られている。
【０００３】
これらのスカートタイプのものは、下側が広く開放されているので、寒気が入り込んで着用者が寒さを感じる場合がある。また、最近では、ジーンズなどのパンツスタイルのファッションが人気を博していることもあって、マタニティウェアにおいても、パンツスタイルのものがいくつか提案されている。
【０００４】
このようなものとしては、例えば、スラックスの上部、つまり大きくなっていくお腹にフィットする部分に伸縮性の布地を縫い合わせ、ゴムや紐などでウエストに留めつけるものなどが知られている。また、図６に示すように、スラックス前側の開放両端部４２に帯状の布４０を掛け渡し、あて布４１をあてがって開放された部分を覆い隠すものなどが知られている。なお、図６（ａ）は、帯状の布４０とあて布４１との正面図であり、図６（ｂ）は、帯状の布４０とあて布４１とを装着した状態を示す図である。
【０００５】
以上の従来技術は、当業者において当然として行われているものであり、出願人は、この従来技術が記載された文献を知見していない。
【発明の開示】
【発明が解決しようとする課題】
【０００６】
しかし、以上のようなマタニティウェアは、いくつかの問題を抱えていた。まず、スラックスの上部に伸縮性の布地を縫い合わせたものの場合、スラックス部分と伸縮性の布地との質感があまりにも違うため、見ている人にちぐはぐな不自然さを喚起させる虞があり、ファッション性に劣るという問題があった。そこで、通常は、上着の上部をスラックスの外側に出し、（所謂「オーバーブラウス状態」）、上着の裾でスラックスの上部を覆い隠すという着用法が採られていた。この方法によれば、見た目の悪い部分、すなわち伸縮性の布地の部分を覆い隠して見えなくできるという利点はあるものの、着用できる上着の種類がオーバーブラウスできるものに限定され、ファッションの幅が狭まってしまうという問題を抱えていた。しかも、このような専用のマタニティウェアは、比較的高価である上に着用できる期間が短く、販売されているデザインの種類が少ないという問題も抱えていた。
【０００７】
一方、図６に示すような部材を用いると、マタニティ専用の衣類だけではなく、普通の衣類をマタニティウェアに適用することができる。これにより、価格やデザインの種類に関する問題は軽減されるものの、別の問題は依然として残っていた。つまり、スラックス前側の開放両端部４２からあて布４１が見えると、あたかも下着が覗き見えているかのようであり、見ている人にいかにも不自然な印象を与えかねなかった。そこで、上着の裾で当て布４１を覆い隠す必要が生じ、着用できる上着の種類が限定されるという問題が解決できなかった。
【０００８】
しかも、図６に示す部材は、膨らんだお腹の下腹部で前側を留め合わせる構成となっていた。このような構成では、お腹が外気に晒されて冷えてしまい、母体や胎児に不快感を与える虞があった。また、下腹部のみで前側を留め合わせた構成では、お腹が大きくなってきた場合に、スラックスがずれ落ちてしまう可能性がある。そこで、サスペンダーなどを用いて、スラックスを支える必要が生じるが、かかる着用スタイルは脱着が不便であるという問題があった。特に、妊娠中の女性は、膀胱が圧迫されるため排泄の間隔が短くなる傾向があり、暖かくて且つ脱着が楽な衣服の必要性は極めて高い。このため、脱着が面倒な衣服は妊娠中の女性にとって負担に感じさせる虞があった。
【０００９】
そこで、本発明は、上記の実状に鑑み、母体を冷やさず、脱着が容易であり、且つ着用者のファッション性の幅を狭めることの無いマタニティウェアの提供を課題とする。
【課題を解決するための手段】
【００１０】
本発明に係るマタニティウェアは、「着用者のウエストに位置するウエスト部の前側が開放される下半身用衣服の、前記ウエスト部を開放した両端部に横設して架け渡される帯状の部材で、前記開放した両端部に対して夫々係止することが可能な第一係止部を有している横設係止部材と、着用者のウエストに巻回される巻回部と、前記横設係止部材の外側に配設され、該巻回部から一体的に形成されており、少なくとも前記開放した両端部及び前記横設係止部材を被覆可能な被覆部材と、を有する前側被覆部材と、前記前側被覆部材の内側に縦設して配設される帯状の部材で、その一部が前記巻回部に取り付けられ、前記両端部の少なくともいずれか一方に係止することが可能な第二係止部が備えられている縦設係止部材とを有している」ことを特徴とする。
【００１１】
ここで、「ウエスト部の前側が開放される下半身用衣服」としては、例えば、ジーンズやスラックスなどのパンツ、またはスカートなどが挙げられる。また、「横設係止部材の外側」とは、着用した状態において、横設係止部材より着用者に対して遠い方の面に配設されている状態を示す。さらに、「前側被覆部材の内側」とは、着用した状態において着用者に対してより近い方の面に配設されている状態を示す。また、「第一係止部材」及び「第二係止部材」としては、具体的な構成を何ら限定するものではないが、ボタン（またはボタン穴）、クリップ、面ファスナー等、脱着が容易で着用時に係止状態を維持できる適宜の部材が例示できる。
【００１２】
また、「巻回される」とは、着用者のウェスト回りに巻きつけて固定させる状態を示し、ゴムや紐、伸縮性の布などを用いて着用者のウエストに密着させるものが例示できる。着用者のウエストに密着させて着用時に固定できるものであれば、その形態は特に限定されるものではなく、例えば、巻回部を環状に構成し、その環の中に着用者のウエストを通すものでも良いし、エプロン（前掛け）のように、長尺状の布を着用者のウエストに巻きつけるものでも構わない。また、材質としては、前述したゴムや紐などのように、伸縮したり長さを調整することで着用者のウエストに巻きつけるものでも良いが、その他皮のベルトや非伸縮性の布地を用いるものでも構わない。但し、本発明は、特に妊娠中の女性に対して好適に使用されるものであるから、腹部を締め付けすぎず、且つ短期間でウエストのサイズが大きく変わってしまっても対応できるように、伸縮性の素材や締め付け具合が調整しやすい素材等を用いると、より効果的である。
【００１３】
また、「取り付けられ」る方法としては、例えば縦設係止部材の一端側を巻回部に縫着させ取り外し困難な状態に取り付けるものであっても良いし、スナップボタンやフックなどの適宜な金具を介して、取り外しが容易な状態に取り付けるものでもよい。一端側を巻回部に縫着させる方法では、前側被覆部材から外れてバラバラになりにくいため、洗濯時やタンス収納時に一体的に取り扱えて便利であるという効果を有している。一方、巻回部に対して取り外しが容易な状態に取り付けると、着用者の体型に合わせて数種類の長さの縦設係止部材を用意し、着用者の好みにあわせて付け替えてもらうなどの着用方法を採用することができる。これにより、より幅広い体型に柔軟に対応することができるし、一つの前側被覆部材をいろいろな時期の体型で共通に使えるので、体型が大きく変わっても買い換える必要が無く極めて経済的である。
【００１４】
なお、本発明の「被覆部材」としては、「少なくとも開放した両端部及び横設係止部材を被覆可能」なものであれば良く、例えば丈の長さが股下１０ｃｍ程度のものであっても良いし、着用者の膝下以上の長さであっても構わないが、特に、「着用者の股下よりも長く、膝上よりも短い丈の長さ」とすると好適である。例えば、着用者の股下よりも丈が短いと、下半身用衣服の前側開放部が露出する虞があるし、膝上よりも丈が長いと、ロングスカートのような見た目となり、一般のスラックス等とのコーディネートが不自然になりやすい。従って、股下１０ｃｍ程度とすることで、所謂「エプロンスカート」状の自然なファッションスタイルとすることができ、汎用のスカートやスラックスとのコーディネートの幅が広がるから好適である。
【００１５】
従って、本発明のマタニティウェアによれば、着用者は、前側が開放される下半身衣類の前側を開放した状態で、その開放した両端側に、横設係止部材を夫々係止させ、留め合わせる事ができる。これにより、腹部のサイズが大きくなっても、前側の両端部を閉じ合わせることなく開いた状態で係止させ、下半身用衣類を装着することができる。つまり、ウェストサイズが比較的小さい下半身用衣類であっても、ウエストの前側を開放させて装着することができるので、専用のマタニティウェアを用いることなく、妊娠していない女性が着用する通常の下半身用衣類をそのまま妊娠期や産後に着用することが可能となる。
【００１６】
また、本発明のマタニティウェアによれば、横設係止部材と前記開放された下半身衣類の両端部を被覆することができる前側被覆部材が備えられている。ここで、横設係止部材は、前側被覆部材よりも内側に配設されており、換言すれば、前側被覆部材は、横設係止部材よりも外側、つまり横設係止部材を被覆する状態で配設されている。従って、ウエストの前側を開放させて下半身用衣類を装着していても、その開放された両端部及び横設係止部材を覆い隠して人目に触れないよう構成することができる。これにより、上着の裾で下腹部を覆い隠す必要がなくなるので（所謂「オーバーブラウス状態」が必要なくなるので）、選択できる上着のバリエーションが飛躍的に広がり、ファッションを自由に楽しむことが可能となる。また、オーバーブラウス状態が必要なくなるから、上着の裾を下半身用衣類の内側に収容することが可能となる。これにより、上着の裾から寒気が入り込むことを防止し、腹部を冷やさないファッションが容易となる。さらに、前側被覆部材によって腹部を覆うことができるから、より腹部を冷しにくく、母体と胎児にとって快適なマタニティウェアを提供できる。
【００１７】
ところで、着用者の妊娠期が進み、腹部のサイズが大きくなってくると、下半身用衣類のウエスト開放部は、着用者のウエストの中央部から下腹部へと配置されることが想定される。妊娠前であれば、（一部のファッションスタイルを除き）ウエストの中央部で開放部を閉じ合わせることが一般的であるが、腹部が膨らんでくると、譬え本発明の横設係止部材を用いたとしても、腹部が圧迫されて苦しさを感じるからである。しかし、下半身用衣類のウエスト部を下腹部に下げると、骨盤の最もでっぱった部位より下側で下半身用衣類を支える構成になる。これにより、下半身用衣類がずれ落ちやすくなるケースが懸念される。
【００１８】
しかし、本発明のマタニティウェアによれば、さらに、前側被覆部材の巻回部と、下半身用衣類の前側の開放部との間を架け渡す縦設係止部材が具備されている。巻回部は、着用者のウエスト部、すなわち骨盤のでっぱりの上側に位置しているから、当該巻回部と下腹部に位置する開放部とを架け渡すことで、下半身衣類がずれ落ちないよう支えることが可能となる。これにより、別途サスペンダーなどの部材を追加しなくても、下半身用衣類がずれ落ちないよう構成することができる。また、縦設係止部材は、その一部が巻回部に縫着されているから、別途のサスペンダーなどを用いる場合に比べて装着が極めて楽である。従って、脱着が容易でずれ落ち難い快適なマタニティウェアを提供できる。さらに、本発明のマタニティウェアによれば、縦設係止部材は前側被覆部材の内側に配設されているから、装着した状態で前側被覆部材に覆い隠されて人目に触れ難く、着用者のファッション性を損なわないという優れた効果も奏している。さらに、サスペンダーを用いると、着用者の肩から上半身を通過し、下腹部へと部材が配設される構成だから、着用者のバストを圧迫したり、擦れて不快感を与える場合が懸念される。これに対し、本発明のマタニティウェアによれば、縦設係止部材は、ウエストに巻回された巻回部と下腹部の開放部とを架け渡す構成だから、着用者のバストを圧迫する虞が無い。これにより、授乳期前の敏感なバストを刺激する虞の無い、妊娠期の女性により適したマタニティウェアが提供できる。
【００１９】
なお、「横設係止部材」、「前側被覆部材」、及び「縦設係止部材」の材質としては、具体的な構成は何ら限定されるものではないが、ポリウレタン繊維やポリエーテル・エステル繊維のように伸縮性のある繊維を用いたものや、メリヤス織のように織り方によって伸縮性を実現させたもの、若しくはこれらを組み合わせた素材が例示できる。このような材質を適用することで、急激にサイズが変化していく妊娠中の女性の体に優しくフィットするマタニティウェアが提供できる。一方、特に「前側被覆部材」において、非伸縮性の素材を適用すると、適用できる布地の種類が格段に増えるため、より安価にデザイン性の高いマタニティウェアを提供できる。
【００２０】
また、本発明のマタニティウェアにおいて、「前記着用者の少なくとも腹部を被覆可能な面積を有する部材で、前記横設係止部材及び前記縦設係止部材よりも内側の前記着用者側に配設され、伸縮性の素材で形成されている内側被覆部材をさらに具備している」ものとしても良い。
【００２１】
ここで、「着用者の少なくとも腹部を被覆可能な面積を有する部材」としては、例えば、円筒状に（環状に）形成され着用者の腹部と臀部とを同時に被服可能に構成された部材や、前掛状に形成され着用者の腹部をエプロン状に被覆する部材などが例示できる。但し、あまりにも小さく、妊婦の腹部のごく一部のみしか被覆できないような部材や、あまりにも大きく、股下から垂れ下がって着用者の歩行の妨げになるような部材は好適ではない。また、「伸縮性の素材」とは、所謂「ストレッチ素材」などの伸縮自在な材質を示し、前述と同様に、伸縮性のある繊維を用いたもの、メリヤス織のように織り方によって伸縮性を実現させたもの、またはこれらを複合的に採用したもの、等が挙げられる。
【００２２】
従って、本発明のマタニティウェアによれば、着用者の腹部を被覆可能な内側被覆部材がさらに具備されている。これにより、着用者の腹部をより冷え難く保護することができ、母体と胎児に一層快適なマタニティウェアを提供できる。また、本発明によれば、内側被覆部材は伸縮性の素材で形成されているから、着用者の腹部を必要以上に圧迫しないことに加え、腹部のサイズ変化に柔軟に対応することが可能となっている。
【００２３】
さらに、本発明によれば、内側被覆部材は、横設係止部材及び縦設係止部材よりも内側の着用者側に配設されているから、より自然に着用者の腹部を被覆することができる。この点をより具体的に説明する。仮に、内側被覆部材が、横設係止部材及び縦設係止部材よりも外側（着用者よりも遠い側）に形成されていると、内側被覆部材と着用者との間に、横設係止部材及び縦設係止部材が配設される構成となる。このような状況では、横設係止部材及び縦設係止部材が邪魔をして、内側被覆部材と着用者の腹部とが十分に密着しない虞がある。これに対し、本発明のマタニティウェアによれば、内側被覆部材は横設係止部材及び縦設係止部材よりも内側に位置しているから、より自然に着用者の腹部にフィットして被覆することができる。従って、より暖かく着用感に優れるマタニティウェアを提供できる。
【００２４】
さらに、本発明によれば、内側被覆部材は、横設係止部材及び縦設係止部材よりも内側に位置しており、換言すると、前側被覆部材よりも内側の着用者側に配設されている。つまり、着用した状態では、前側被覆部材によって被覆され、人目につき難くいので、デザイン性に拘泥されることなく素材や色を選択することができる。これにより、素材の選択の幅が広くなるから、着用感を重視した素材を選ぶことが容易であり、一層快適なマタニティウェアの提供に資する。また、本発明によれば、内側被覆部材は、前側被覆部材の巻回部に縫着され一体的に形成されている。従って、各々の部材を別個に着用する場合に比べて、脱着が容易であり、快適である。
【００２５】
ところで、本発明において、内側被覆部材は、前側被覆部材よりも内側の着用者側に配設されるから、着用した状態においては、人目に触れ難く、デザイン性に拘泥されることなく素材を選択できるという利点を有している。一方、前側被覆部材は、人目に触れる状態で着用され易いため、着用者の好みに合わせて様々なデザイン性を発揮するものが好ましい。
【００２６】
そこで、本発明において、「前記内側被覆部材は、前記前側被覆部材に対して着脱自在に取り付けられている」ものとしても良い。
【００２７】
ここで、「着脱自在に取り付けられる」方法としては、内側被覆部材または前側被覆部材の少なくともいずれか一方（または双方）に、面ファスナーやフック、紐、ボタンなどの適宜の着脱手段を備え付け、繰り返し着脱させることが可能な方法が例示できる。
【００２８】
本発明によると、内側被覆部材は、前側被覆部材に対して着脱自在に取り付けられており、換言すると、前側被覆部材は、内側被覆部材から脱着させることが可能である。これにより、着用者は、内側被覆部材や横設係止部材、または縦設係止部材などを買い換えることなく、前側被覆部材のみを交換するだけで、全く異なるデザイン性を発揮させることが可能となる。つまり、複数の前側被覆部材に対して、一つの内側被覆部材、横設係止部材、または縦設係止部材を用いるだけで異なるデザイン性を発揮できるので、極めて経済的である。さらに、本発明によれば、夏場の暑い時期や、または妊娠期間が終了して体型が回復した場合は、内側被覆部材を取り外して前側被覆部材などを着用することができ、より長い期間快適に着用することを可能としている。
【００２９】
ところで、本発明のマタニティウェアは、前側が開放可能な下半身用衣類との組み合わせにおいて好適に使用されるものであるが、このような下半身用衣類においては、その前側をボタンを用いて留め合わせるものが多く流通している。例えば、デニム生地のパンツ（所謂「ジーンズ」）やカジュアルなスラックスなどは、その多くがボタンとボタン穴とを有するものである。また、ボタンを用いずに公知のフックなどを用いて閉じ合わせる構成の衣類であっても、装飾用のボタンが縫い付けてある場合もある。
【００３０】
そこで、本発明のマタニティウェアにおいて、「前記第一係止部または前記第二係止部の少なくともいずれか一方は、前記下半身用衣服の前記開放した両端部に備えられたボタンまたはボタン穴に対して係止可能に構成されている」ものとしても良い。
【００３１】
従って、本発明のマタニティウェアによれば、第一係止部または第二係止部の少なくともいずれか一方は、下半身用衣類に備えられたボタンまたはボタン穴に対して係止可能に構成されている。つまり、下半身用衣類に備えられたボタンやボタン穴を利用して係止させる構成だから、クリップなどの係止部材を用いて第一係止部や第二係止部を下半身用衣類に係止させる場合に比べて、下半身用衣類の布地を傷めにくいという作用効果を奏する。また、フックなどの係止部材を用いる場合は、下半身用衣類側に非係止部材（フックの受け金等）を別途取り付ける必要があるが、本発明によれば、そのような手間が不要となり、簡便である。従って、より使いやすくて快適なマタニティウェアを提供できる。
【発明の効果】
【００３２】
このように、本発明のマタニティウェアによれば、横設係止部材が備えられているから、下半身用衣類の前側を開放させた状態で留め合わせる事ができる。従って、お腹が大きくなっても、前側を閉じ合わせずに着用することができるから、通常の下半身用衣類をそのまま妊娠期においても着用することができる。また、縦設係止部材がさらに備えられているから、前側を開放した状態の下半身用衣類がずれ落ちてしまうことを簡易に防止することができる。さらに、前側被覆部材が備えられているから、下半身用衣類の開放部や横設係止部材、縦設係止部材などを人目から隠すことができ、着用者のファッション性を損なわないという効果も有している。さらに、縦設係止部材は、その一部が前側被覆部材に縫着されているから、脱着も簡便である。また、上着の裾で下半身の前側を隠す必要もないから腹部を冷しにくく、快適で母体に優しいマタニティウェアを提供することができる。
【発明を実施するための最良の形態】
【００３３】
以下、本発明の一実施形態であるマタニティウェアについて、図１乃至図３に基づき説明する。図１は本発明のマタニティウェアを示す説明図、図２はマタニティウェアを分解した状態の正面図、図３は装着状態を示す斜視図である。
【００３４】
本実施形態のマタニティウェア１は、図１及び図２に示すように、パンツ１０のウエスト部１１を開放した状態において、その両端側に架け渡される横設係止部材２と、着用者の股下下半身を被覆し、開放されたウエスト部１１を遮蔽する前側被覆部材３と、前側被覆部材３の巻回部８とウエスト部１１とを架け渡す縦設係止部材４と、を具備している。なお、本実施形態においては、装着例として前開きタイプのパンツ１０と本発明のマタニティウェア１とのコーディネートを例示している。パンツ１０は、ウエスト部１１がボタン１２ａとボタン穴１２ｂとで閉じあわされる前開きタイプのものであり、妊娠期ではない女性が着用する汎用のパンツを示している。ここで、「パンツ１０」が、本発明における「下半身用衣類」に相当する。
【００３５】
横設係止部材２は、所謂平ゴムを用いて形成された帯状の部材であり、着用者の腹部のサイズに合わせて伸縮自在に構成されている。一端側には、パンツ１０のウエスト部１１に備えられたボタン穴１２ｂに係止可能な第一ボタン６が備えられている。また、横設係止部材２の他端側には、ウエスト部１１のボタン１２ａに通すことが可能な第一ボタン穴７ａが形成されている。さらに、着用者の体型に合わせてウエスト部１１の開放具合が調整できるように、第一ボタン穴７ｂ〜７ｄも形成されている。着用者は、第一ボタン６をパンツ１０のボタン穴１２ｂに係止させた状態で、第一ボタン穴７ａ〜７ｄのいずれか一つをボタン１２ａに係止させる。すると、パンツ１０のウェスト部１１を開放した状態で、横設係止部材２が架け渡される。ここで、「第一ボタン６」及び「第一ボタン穴７ａ〜７ｄ」が、本発明の「第一係止部」に相当する。
【００３６】
前側被覆部材３は、着用者の股上下半身を被覆する部材であり、着用者のウエストに巻回される巻回部８と、巻回部８から一体的に形成され、開放されたウエスト部１１や横設係止部材２を被覆する被覆部材１３とを有している。
【００３７】
本例では、巻回部８には紐１４が通されており、着用者の腹部のサイズに合わせて締め具合を簡易に調整できるよう構成されている。本例の紐１４は、着用者の腹部の前側で締め合わせる構成なので、背後側で締め合わせる場合に比べて脱着やサイズ調整作業が簡単である。また、紐１４をリボン結びにし、前側に垂らす構成なので、ウエスト部にリボンをあしらったようなフェミニンなデザイン性を発揮させることができる。
【００３８】
巻回部８及び被覆部材１３は、円筒状に形成されており、その筒の内部に着用者のウエストを通して着用する構成である。すなわち、図１に示すように、着用するとエプロンスカート状のデザイン性を発揮するものである。本例の被覆部材１３は、肌触りがよく柔軟性のあるコットンを使用している。丈の長さは、少なくともウエスト部１１の開放部と横設係止部材２とを被覆できる程度であれば特に限定されないが、本例では股下１０ｃｍ程度のものを採用している。あまりに短いと、着用者の腹部が大きくなってきた場合にウエスト部１１を被覆できなかったり、腹部を圧迫する虞がある。一方、あまりに長く、例えば着用者の膝下までの長さで形成されると、歩く時に邪魔になったり、他の衣類とのコーディネートが難しくなる場合が考えられる。従って、本例のように、股下１０〜２０ｃｍ程度の丈の長さがより好適である。なお、被覆部材１３が具備されていることにより、従来のマタニティウェアのようにオーバーブラウス状態が必要なくなるから、紐１４などを用いたデザイン性を採用し、着用者がより幅広いおしゃれを楽しむことが可能となる。
【００３９】
縦設係止部材４は、帯状の部材であり、パンツ１０のずれ落ちを防止する部材である。一端側が、巻回部８に縫着されており、他端側にはパンツ１０のボタン１２ａに通して係止可能な第二ボタン穴９ａが設けられている。また、縦設係止部材４には、縦設される延設方向に沿って複数のボタン穴９ｂ〜９ｅもさらに具備されており、ボタン１２ａにどれを通すかによって着用者が着用位置を自由に調整できるよう構成されている。ここで、「第二ボタン穴９ａ〜９ｅ」が、本発明の「第二係止部」に相当する。なお、本例では、縦設係止部材４の一端部が巻回部８に縫着されているものを例示しているが、スナップボタンやフック等を用いて着脱自在な状態で取り付けられるものでも良い。
【００４０】
また、本例のマタニティウェア１には、内側被覆部材５がさらに具備されている。内側被覆部材５は、前側被覆部材３の巻回部８に縫着されており、縦設係止部材４よりもさらに内側（着用者側）に配設されている。大きさとしては、着用者の腹部を被覆できる程度に大きく、且つパンツ１０の内側に入れ込んでもかさばって邪魔にならない程度の小ささが好ましい。材質としては、着用者の腹部を圧迫しないよう伸縮性の素材が選択されており、本例ではジャージ生地のものが採用されている。内側被覆部材５の裾１５は、前側中央部が横側よりも長く垂れ下がっており、正面からみると緩やかなＶ字型を描くように形成されている。このように形成することで、着用者の腹部が大きく膨れ上がってきても下腹部側まで確実に被覆できるよう配慮されている。なお、本例では、前側被覆部材３と同様に円筒状の形状を採用しているが、着用者の少なくとも腹部を被覆できるものであれば良いから、前掛け状の形状でも良い。但し、本例のように円筒状の形状を選択することで、腹部のみならず臀部や腰部も被覆することができるから、より暖かくて母体に優しいマタニティウェア１の提供に資する。なお、本例では、前側被覆部材３の巻回部８に縫着された内側被覆部材５を例示しているが、この構成に限定されるものではない。例えば、巻回部８と内側被覆部材５とに互いに噛合可能な面ファスナーを取り付け、前側被覆部材５に対して着脱自在に取り付けられた内側被覆部材５としても構わない。本例のように、巻回部８に縫着された内側被覆部材５とすると、着脱の手間が一度で済んで便利であり、洗濯時にバラバラにならないという利点を有している。一方、内側被覆部材５を前側被覆部材３に対して着脱自在に取り付けると、必要に応じて内側被覆部材５を取り外したり、または前側被覆部材３を別のデザインのものに取り替えることができる、等の利点を有している。
【００４１】
続いて、本実施形態のマタニティウェア１の着用方法について説明する。まず、パンツ１０のウェスト部１１を開放し、腹部を圧迫しない位置にずらす。ウエスト部１１を開放する量は、全開でも良いし、半開でも良い。腹部の膨らみに合わせて着用者が自由に選択可能である。
【００４２】
次に、横設係止部材２を装着する。パンツ１０のウエスト部１１に設けられたボタン穴１２ｂに、横設係止部材２の第一ボタン６を通す。そして、ボタン穴７ａをパンツ１０のボタン１２ａに通し、ウエスト部１１の開放部に横設係止部材２を横設させる。このようにして、開放されたウエスト部１１を、横設係止部材２によって架け渡す。なお、ボタン１２ａに通すボタン穴７ａは、着用者の腹部の大きさに合わせて７ｂ〜７ｄのうちどれを選択しても良いことは言うまでも無い。
【００４３】
続いて、前側被覆部材３を装着する。前側被覆部材３の円筒状の内部に着用者のウエストを通し、巻回部８を骨盤よりも上の臍上辺りに配設する。縦設係止部材４及び内側被覆部材５は前側被覆部材３に縫着されているから、前側被覆部材３を装着すると、それに伴って、これらの部材も図１に示すような着用位置に配設される。前側被覆部材３を装着することで、ウエスト部１１や横設係止部材２などが被覆され、外側から隠蔽される。
【００４４】
次に、内側被覆部材５の裾をパンツ１０の内側に入れ込む。これにより、着用者の腹部が内側被覆部材５によって暖かく被覆される。そして、縦設係止部材４の第二ボタン穴９ｂをパンツ１０のボタン１２ａに通す（図１参照）。当然のことながら、ボタン１２ａに通すのは第二ボタン穴９ａ〜９ｅのいずれでも構わない。このようにして、マタニティウェア１が装着される。
【００４５】
すると、本例のマタニティウェア１は、図３に示すように所謂エプロンスカート状のファッションスタイルを呈する。着用者の好みによって、上着の裾をマタニティウェア１の外側に出すオーバーブラウスをしても良いが、図３に示すように上着の裾を内側に入れ込んだり、または短裾の上着を着用しても良い。
【００４６】
以上のように、本発明のマタニティウェア１によれば、パンツ１０の前側を開放した状態で、開放したウエスト部１１の両端側に横設係止部材２を夫々係止させ、留め合わせる事ができる。これにより、腹部のサイズが大きくなっても、ウエスト部１１を閉じ合わせることなく開いた状態で係止させ、パンツ１０を装着することができる。つまり、ウェストサイズが比較的小さいパンツ１０であっても、ウエスト部１１の前側を開放させて装着することができるので、専用のマタニティウェアを用いることなく、妊娠していない女性が着用する通常のパンツ１０をそのまま妊娠期や産後に着用することが可能となる。
【００４７】
また、本発明のマタニティウェアによれば、前側被覆部材３が備えられている。従って、ウエスト部１１の前側を開放させてパンツ１０を装着していても、その開放された部分や横設係止部材２を覆い隠して人目に触れないよう構成することができる。これにより、上着の裾で下腹部を覆い隠す必要がなくなるので、選択できる上着のバリエーションが飛躍的に広がり、着用者がファッションを自由に楽しむことが可能となる。また、オーバーブラウス状態が必要なくなるから、上着の裾をパンツ１０の内側に収容することが可能となる。これにより、上着の裾から寒気が入り込むことを防止し、腹部を冷やさないファッションが容易となる。さらに、前側被覆部材３によって腹部を覆うことができるから、より腹部を冷しにくく、母体と胎児にとって快適なマタニティウェアを提供できる。
【００４８】
さらに、縦設係止部材４が具備されているから、パンツ１０がずれ落ちないよう支えることが可能となる。これにより、別途サスペンダーなどの部材を追加しなくても、パンツ１０がずれ落ちないよう構成することができる。また、縦設係止部材４は、その一部が巻回部８に縫着されているから、別途のサスペンダーなどを用いる場合に比べて装着が極めて楽である。従って、脱着が容易でずれ落ち難い快適なマタニティウェア１を提供できる。さらに、縦設係止部材４は前側被覆部材３の内側に配設されているから、装着した状態で前側被覆部材３に覆い隠されて人目に触れ難く、着用者のファッション性を損なわないという優れた効果も奏している。さらに、縦設係止部材４は、サスペンダー等のように着用者のバストを圧迫する虞が無い。これにより、授乳期前の敏感なバストを刺激する虞の無い、妊娠期の女性により適したマタニティウェア１が提供できる。
【００４９】
また、内側被覆部材５がさらに具備されているから、着用者の腹部をより冷え難く保護することができ、母体と胎児に一層快適なマタニティウェア１を提供できる。また、内側被覆部材５は伸縮性の素材で形成されているから、着用者の腹部を必要以上に圧迫しないことに加え、腹部のサイズ変化に柔軟に対応することが可能となっている。
【００５０】
さらに、内側被覆部材５は、縦設係止部材４よりも内側の着用者側に配設されているから、横設係止部材２や縦設係止部材４に邪魔されること無く、より自然に着用者の腹部にフィットする。従って、より暖かく着用感に優れるマタニティウェア１を提供できる。また、内側被覆部材５は、前側被覆部材３によって被覆され、着用時に人目につき難くいので、デザイン性に拘泥されることなく素材や色を選択することができる。これにより、素材の選択の幅が広くなるから、着用感を重視した素材を選ぶことが容易であり、一層快適なマタニティウェア１の提供に資する。さらに、内側被覆部材５は、前側被覆部材３の巻回部８に縫着され一体的に形成されている。従って、各々の部材を別個に着用する場合に比べて、脱着が容易である。
【００５１】
また、本例のマタニティウェア１によれば、第一ボタン６及び第二ボタン穴９ａが、パンツ１０のボタン１２ａ，ボタン穴１２ｂに対して係止可能に構成されている。つまり、パンツ１０に装着された部材を利用して係止させる構成だから、別途のフックなどを追加する場合より構成をシンプルにできる。
【００５２】
さらに、本例のマタニティウェア１によれば、横設係止部材２には、複数の第一ボタン穴７ａ〜７ｄが具備されている。これにより、パンツ１０のウエスト部１１の開放量を調整できるので、着用者の腹部の大きさの変化に柔軟に対応することができる。従って、一人の着用者が長く本例のマタニティウェア１を着用し続けることも可能であり経済的である。また、様々な体型の着用者に対して、一つのマタニティウェア１で対応することも可能だから、作製者側の負担も軽減することができる。
【００５３】
また、本例のマタニティウェア１によれば、縦設係止部材４には、複数の第二ボタン穴９ａ〜９ｅが具備されている。従って、第一ボタン穴７ａ〜７ｄと同様に、着用者の腹部の大きさの変化に柔軟に対応することができる。
【００５４】
以上、本発明について好適な実施形態を挙げて説明したが、本発明はこれらの実施形態に限定されるものではなく、以下に示すように、本発明の趣旨を逸脱しない範囲において種々の改良及び設計の変更が可能である。
【００５５】
上記実施形態においては、円筒状に形成されたエプロンスカートタイプの前側被覆部材３を用いる場合を例示したが、この構成に限定されるものではない。例えば、図４に示すように、後側で留め合わせるエプロンタイプの前側被覆部材２０でも良い。なお、図４（ａ）は着用状態を前側から見た場合の図であり、（ｂ）は後側から見た状態を示している（図４では、横設係止部材２の図示を省略してある）。このように構成すると、前側構成部材３とはまた違ったデザインのマタニティウェア１を楽しむことができる。
【００５６】
また、図５に示すような前側構成部材３０を用いても良い。図５（ａ）は、前側構成部材３０を開放した状態の図であり、（ｂ）は閉じ合わせて装着した状態を示す図である。なお、横設係止部材２は図示を省略している。前側構成部材３０は、縦設係止部材４を被覆する第一被覆部材３０ａと、着用者の腰部を被覆し前側で閉じ合わせる第二被覆部材３０ｂとで構成されている。第二被覆部材３０ｂには紐３１が延設されており、第一被覆部材３０ａの前側でリボン状に締めて閉じ合わせることができる。このように構成することで、前側構成部材３よりもさらにウエストサイズ調整の幅が広いマタニティウェア１を提供できる。
【００５７】
また、上記実施形態では、ウエスト部１１が前側で開放されるパンツ１０を例示したが、これ以外の下半身用衣類との組み合わせでも構わない。例えば、着用者の後側で閉じ合わせるタイプのスカートとの組み合わせも可能である。その場合には、第一ボタン６及び第一ボタン穴７ａに替えて、フックやスナップボタン、クリップのような第一係止部材を用いると良い。同様にして、ボタン穴９ａをクリップのような第二係止部材に替えるとより好適である。
【００５８】
また、上記実施形態では、縦設係止部材４は前側被覆部材２の巻回部８に縫着される場合を例示したが、内側被覆部材５に縫着させても構わない。要するに、前側被覆部材３、縦設係止部材４、及び内側被覆部材５が互いに縫着されて一体的に装着できるものであれば良い。また、前側被覆部材３を別体で形成し、縦設係止部材４と内側被覆部材５とを一体的に形成しても良く、縦設係止部材４を独立して形成し、スナップボタンやクリップなどで前側被覆部材３または（及び）内側被覆部材５に取り付ける構成でも良いが、本例のように、前側被覆部材３、縦設係止部材４、及び内側被覆部材５を一体的に形成することで、装着が一度で済んで手間がかからず、着用者にとって便利である。
【００５９】
また、上記実施形態では、縦設係止部材４の一端側が巻回部８に縫着されるものを例示したが、この構成には限定されない。例えば、縦設係止部材４の一端側と巻回部８とに一対のスナップボタンを取り付け、縦設係止部材４を前側被覆部材３に対して脱着可能な状態に取り付けるものであっても良い。このように構成すると、他のサイズの縦設係止部材との取替えが容易となり、一層幅広いサイズ調整が可能となる。
【図面の簡単な説明】
【００６０】
【図１】本発明のマタニティウェアを示す説明図である。
【図２】マタニティウェアを分解した状態の正面図である。
【図３】マタニティウェアの装着状態を示す斜視図である。
【図４】前側被覆部材の他の形態を示す説明図である。
【図５】前側被覆部材の他の形態を示す説明図である。
【図６】従来のマタニティ用品の一例を示す図である。
【符号の説明】
【００６１】
１  マタニティウェア
２  横設係止部材
３  前側被覆部材
４  縦設係止部材
５  内側被覆部材
６  第一ボタン（第一係止部材）
７ａ〜７ｄ  第一ボタン穴（第一係止部材）
８  巻回部
９ａ〜９ｅ  第二ボタン穴（第二ボタン穴）
１０  パンツ（下半身用衣類）
１１  ウエスト部
１３  被覆部材
【図１】
2008150758.tif 000003
【図２】
2008150758.tif 000004
【図３】
2008150758.tif 000005
【図４】
2008150758.tif 000006
【図５】
2008150758.tif 000007
【図６】
2008150758.tif 000008